(57)【要約】【課題】  メダル通路に不正器具が挿入されたことを迅速かつ確実に発見することで係る不正行為を未然に防止する。【解決手段】  メダル通路３０６の垂直部分３０７において、不正器具のプラスチックシートが上側に引き抜かれる方向に移動すると、２方向検知スイッチ３４３のスイッチ操作部３４６は、バネ３５５ａ，３５５ｂの力により適度な圧力でプラスチックシートと接触し、摩擦力により図中Ｒ２方向に傾倒操作される。すると、スロットマシンの主制御基板は、メダル通路３０６を移動する対象物の移動方向が入口側に向かう方向になったことを確認し、サブ制御基板を制御してスピーカに警報を出力させるとともに、ホールコンピューに不正が行われたことを示すデータを送信する。つまり、メダル通路に不正器具が挿入されたことを迅速かつ確実に発見することができる。【選択図】  図８
2006059027.tif 000002
【特許請求の範囲】
【請求項１】
投入口からメダル通路に投入されたメダルの適否を判別し振り分け、適正と判別されて振り分けられたメダルをフォトセンサによって検出するメダル選別装置であって、
前記メダル通路内を移動する対象物に接触し、当該対象物の移動に合わせて傾倒操作されるスイッチ操作部と、
当該スイッチ操作部の傾倒の動きに連動してオンオフすることで当該対象物の前記投入口方向への移動を検出するスイッチ本体とを備えることを特徴とするメダル選別装置。
【請求項２】
前記スイッチ本体が対象物の前記投入口方向への移動を検出した場合に、異常が発生したと見なして報知を行う報知手段を備えることを特徴とする請求項１に記載のメダル選別装置。
【請求項３】
投入口からメダル通路に投入されたメダルの適否を判別し振り分け、適正と判別されて振り分けられたメダルをフォトセンサによって検出するメダル選別装置であって、
前記メダル通路内を移動する対象物に接触し、当該対象物の移動に合わせて傾倒操作されるスイッチ操作部と、
当該スイッチ操作部の傾倒の動きに連動してオンオフすることで当該対象物の移動を検出するスイッチ本体と、
当該スイッチ本体が当該対象物の移動を所定時間以上連続して検出した場合に、異常が発生したと見なして報知を行う報知手段とを備えることを特徴とするメダル選別装置。
【請求項４】
前記スイッチ操作部を往復移動可能に収容する収容部と、
前記スイッチ操作部を前記メダル通路内に突出する方向に付勢する付勢手段を備えることを特徴とする請求項１〜３の何れか１項に記載の遊技機用スイッチユニット。
【発明の詳細な説明】
【技術分野】
【０００１】
本発明は、遊技用のメダルなどの適否を判別し、適正なメダルを選別するメダル選別装置に関する。
【背景技術】
【０００２】
従来、回胴式遊技機としてスロットマシンが知られている。一般的なスロットマシンは、前扉に形成された透明な表示窓を通して筐体内の３列のリールが目視される。各リールの周面には複数種類の図柄が配列されて描かれており、リールを回転させることで遊技の入賞又はハズレに係る図柄が変動表示される。また、スロットマシンには、遊技媒体（メダル）が投入されるメダル投入口と、メダル投入口から投入されたメダルを貯留するクレジット手段と、貯留されているメダルから所定枚数のメダルを賭けてゲームを準備するためのベットボタンと、リールを一斉に回転させるスタートレバーと、回転する各リールを個別に停止させるためのストップボタンが設けられ、ベットボタンが押圧操作され、スタートレバーが傾倒操作されて回転を開始したリールは、ストップボタンの押圧操作を契機にそれぞれ制動されて停止する。そして、各リールが表示する図柄の組合せが有効ライン上に揃うと入賞が確定し、入賞図柄の組合せに応じた数のメダルを配当するように構成されている。
【０００３】
また、一般的なスロットマシンには、メダル投入口からメダル通路に投入されたメダルの適否を判別し振り分けるメダル選別装置が設けられている（例えば特許文献１参照）。また、メダル選別装置は、メダル通路を通過するメダルを検出するメダルセンサとして、フォトセンサを内蔵している。メダル選別装置は、ゲームの待機状態等において正規のメダルが投入され、前記フォトセンサがこのメダルを検出することによって、メダル投入の受け付けを示す信号をスロットマシンの主制御基板へ送出する。スロットマシンの主制御基板は、メダル投入の受け付けを示す信号によって内部に貯留するメダル（クレジット）を増加させる。
【０００４】
ところで、近年、可撓性を有するプラスチックシートの先端に発光ダイオード取り付けた不正器具によって、不正遊技者がメダル選別装置のメダル通路に前記発光ダイオードを挿入し、前記発光ダイオードを点滅させることで、メダル選別装置のフォトセンサの受光素子を誤動作させ、スロットマシンのメダルのクレジットを不正に増加させる行為が問題となっている。しかし、このような不正行為は、遊技店の従業員の死角を突いて行われるため、閉店後のメダルの収支誤差で被害に気づくケースがほとんどであり、早期に発見するのは困難であった。このことに対応して、スロットマシンに前記メダルセンサとは別の赤外線センサを取り付け、不正器具の発光ダイオードからの赤外線を前記赤外線センサにより感知して報知を行う不正行為感知システムが実用化されている。
【０００５】
【特許文献１】特開２００３−２８１５９２号公報
【発明の開示】
【発明が解決しようとする課題】
【０００６】
しかしながら、上述した従来の不正行為感知システムでは、不正器具の発光ダイオードから漏れる赤外線を赤外線センサにより感知しているだけなので、例えば不正器具の発光ダイオードの出力波長を変更する等、当該不正行為感知システムによって発見できない不正器具に容易に改造できてしまうといった課題があった。
【０００７】
本発明は、こうした従来の問題に鑑みてなされたものであり、メダル通路に不正器具が挿入されたことを迅速かつ確実に発見することで係る不正行為を未然に防止する等のメダル選別装置を提供することを目的としている。
【課題を解決するための手段】
【０００８】
上述した課題を解決するため、請求項１に記載の発明は、投入口からメダル通路に投入されたメダルの適否を判別し振り分け、適正と判別されて振り分けられたメダルをフォトセンサによって検出するメダル選別装置であって、前記メダル通路内を移動する対象物に接触し、当該対象物の移動に合わせて傾倒操作されるスイッチ操作部と、当該スイッチ操作部の傾倒の動きに連動してオンオフすることで当該対象物の前記投入口方向への移動を検出するスイッチ本体とを備えることを特徴とする。
【０００９】
請求項２に記載の発明は、請求項１に記載のメダル選別装置であって、前記スイッチ本体が対象物の前記投入口方向への移動を検出した場合に、異常が発生したと見なして報知を行う報知手段を備えることを特徴とする。
【００１０】
請求項３に記載の発明は、投入口からメダル通路に投入されたメダルの適否を判別し振り分け、適正と判別されて振り分けられたメダルをフォトセンサによって検出するメダル選別装置であって、前記メダル通路内を移動する対象物に接触し、当該対象物の移動に合わせて傾倒操作されるスイッチ操作部と、当該スイッチ操作部の傾倒の動きに連動してオンオフすることで当該対象物の移動を検出するスイッチ本体と、当該スイッチ本体が当該対象物の移動を所定時間以上連続して検出した場合に、異常が発生したと見なして報知を行う報知手段とを備えることを特徴とする。
【００１１】
請求項４に記載の発明は、請求項１〜３の何れか１項に記載のメダル選別装置であって、前記スイッチ操作部を往復移動可能に収容する収容部と、前記スイッチ操作部を前記メダル通路内に突出する方向に付勢する付勢手段を備えることを特徴とする。
【００１２】
請求項１に記載のメダル選別装置によれば、スイッチ操作部は、前記メダル通路内を移動する対象物に接触し、当該対象物の移動に合わせて傾倒操作され、スイッチ本体は、当該スイッチ操作部の傾倒の動きに連動してオンオフすることで当該対象物の前記投入口方向への移動を検出する。すなわち、メダル通路に挿入された不正器具が引き抜かれる場合、スイッチ本体は、対象物の前記投入口方向への移動を検出する。これにより、メダル通路に不正器具が挿入されたことを迅速かつ確実に発見することで係る不正行為を未然に防止する等が行える。
【００１３】
請求項２に記載のメダル選別装置によれば、メダル通路に挿入された不正器具が引き抜かれる場合、報知手段は異常が発生したと見なして報知を行う。これにより、メダル通路に不正器具が挿入されたことを迅速かつ確実に発見することで係る不正行為を未然に防止する等が行える。
【００１４】
請求項３に記載のメダル選別装置によれば、スイッチ操作部は、メダル通路内における当該対象物の移動に合わせて傾倒操作され、スイッチ本体は、当該スイッチ操作部の傾倒の動きに連動してオンオフすることで当該対象物の移動を検出し、報知手段は、当該スイッチ本体が当該対象物の移動を所定時間以上連続して検出した場合に、異常が発生したと見なして報知を行う。これにより、メダル通路に不正器具が挿入されたことを迅速かつ確実に発見することで係る不正行為を未然に防止する等が行える。
【００１５】
請求項４に記載のメダル選別装置によれば、スイッチ操作部は、付勢手段の付勢により適切な力でメダル通路内の対象物に接触し、当該対象物の移動に合わせて傾倒操作され、スイッチ本体は、当該スイッチ操作部の傾倒の動きに連動してオンオフすることで当該対象物の移動を検出する。これにより、メダル通路に不正器具が挿入されたことを迅速かつ確実に発見することで係る不正行為を未然に防止する等が行える。
【発明の効果】
【００１６】
本発明のメダル選別装置によれば、メダル通路に挿入された不正器具が引き抜かれる場合、スイッチ本体は、対象物の前記投入口方向への移動を検出する。または、メダル通路に不正器具が所定時間以上挿入された場合、異常が発生したと見なして報知を行う。これにより、メダル通路に不正器具が挿入されたことを迅速かつ確実に発見することで係る不正行為を未然に防止する等が行える。
【発明を実施するための最良の形態】
【００１７】
以下、本発明に係るメダル選別装置を用いた遊技機の好適な一実施形態をスロットマシンを例に図面を参照して説明する。なお、図１は、スロットマシン１の外観構造を表した斜視図、図２は、前扉３を開放した状態におけるスロットマシン１の内部構造を表した図である。
【００１８】
図１において、スロットマシン１は、略矩形状の箱体である筐体２と、当該筐体２と蝶番機構により開閉可能に取り付けられた前扉３とを備えている。
【００１９】
前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留する受皿部６ａが一体的に形成された受皿ユニット６が設けられている。
【００２０】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及び受皿ユニット６は、遊技者側に面し、これらによって「前面パネル部」が構成される。
【００２１】
上部パネル部４の中央には、硬質プラスチック板等で形成されたパネル面４１が設けられている。パネル面４１のほぼ中央には略長方形の透明な表示窓４２が形成され、表示窓４２を通して筐体２内に設けられているリールユニット１００の３個のリール１０１ａ、１０１ｂ、１０１ｃが目視される。
【００２２】
ここで、筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できるようになっている。
【００２３】
また、パネル面４１には、裏面側に設けられている図示しないランプを点灯させることで例えば入賞役への内部当選など遊技状態に関する情報を演出表示する遊技状態表示部４３と、複数の発光ダイオードを点灯させてドット画像を演出表示するドットマトリクス表示部４４、スロットマシン１にクレジット（貯留）されているメダル数や、入賞によって獲得したメダル数、又は入賞役への当選回数等の情報を数値表示する数値情報表示部４５が、それぞれ表示窓４２の周辺に設けられている。
【００２４】
上部パネル部４の上部には、高輝度発光ダイオード等のランプ類を内蔵する演出用照明部４６と、ゲームに係る効果音を発生させるスピーカを内蔵する演出用放音部４７ａ、４７ｂがそれぞれ配置されている。
【００２５】
また、演出用放音部４７ａ、４７ｂの間には、透明な硬質プラスチック板等が嵌め込まれて形成された表示窓に面して液晶表示ユニット４８が配置されている。なお、液晶表示ユニット４８は、ゲームの演出に係る映像やゲーム（遊技）に関する情報を主に表示する。
【００２６】
上部パネル部４の側部には、蛍光灯や高輝度発光ダイオードで形成された演出用照明部４９ａ、４９ｂが設けられている。ゲームの進行に応じて上述した複数の演出用照明部４６、４９ａ、４９ｂ等が点灯又は点滅することで、ゲームにおける視覚的な演出効果を高めるように形成されている。
【００２７】
操作卓７の上面右側には、メダルを投入するための投入口を有するメダル投入部７１が設けられている。また、当該上面の左側には、押しボタンスイッチである３個のベットボタン７２、７３、７４が設けられている。
【００２８】
ベットボタン７２、７３、７４はスロットマシンの１ゲームに賭けるメダルの枚数を提示するためのボタンスイッチである。ゲームを開始する際に、ベットボタン７２が押圧操作されることで、貯留されているメダルから１枚のメダルがゲームに対して賭けられる。同様に、ベットボタン７３が押圧操作されることで２枚のメダルが賭けられ、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００２９】
操作卓７の前面左側には、リール１０１ａ、１０１ｂ、１０１ｃの回転開始を指示するためのスタートレバー７５が設けられている。スタートレバー７５は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
【００３０】
また、操作卓７の中央には、各リール１０１ａ、１０１ｂ、１０１ｃの回転停止をそれぞれ指示するためのストップボタン７６ａ、７６ｂ、７６ｃが各リールの配列に対応して並設されている。
【００３１】
操作卓７の前面右側には、前扉３を開錠するための鍵が挿入される鍵穴７７が設けられている。スロットマシン１の管理者等が鍵穴７７に所定の鍵を挿入して開錠操作すると、蝶番機構によって筐体２に取り付けられている前扉３を前方へ開くことができ、また前扉３を筐体２側に閉じると、自動的にこれらを施錠するようになっている。
【００３２】
下部パネル部５には、スロットマシン１のモデルタイプを遊技者へ認識させる等のため、登場キャラクターの絵などを表示するパネル５１が設けられている。下部パネル部５の下側に配置された受皿ユニット６には、入賞時にメダルを排出するメダル払出口６１と、払い出されたメダルを貯留する受皿部６ａと、演出効果音を発生させるスピーカを内蔵する演出用放音部６２がそれぞれ配置されている。
【００３３】
次に、図２を参照して、筐体２の内部構造と前扉３の裏面構造とを説明する。同図において、筐体２内の上部には、スロットマシン１の全体動作を集中制御するＣＰＵ（マイコン）を備え硬質プラスチックのケースに収納された主制御基板２０が取り付けられている。
【００３４】
筐体２内の中央には、リール１０１ａ、１０１ｂ、１０１ｃを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取り付けられている。なお、各リール１０１ａ、１０１ｂ、１０１ｃは、それぞれに内蔵されたステッピングモータによって回転駆動される。
【００３５】
また、リールユニット１００の上部には、各リールを回転駆動する上記ステッピングモータへ４相の駆動パルス信号を送出する回胴装置基板が取り付けられており、主制御基板２０が回胴装置基板に回胴駆動（励磁）パルスデータを送出することで、各リールの回転と制動及び停止の制御を行っている。
【００３６】
リールユニット１００の下方には、ホッパ装置２１と、ホッパ装置２１から溢れたメダルを収容するための補助貯留部２２と、主電源装置２３が設けられている。主電源装置２３の側面には、いわゆる配電盤に相当する電源装置基板２４が設けられている。更に、筐体２の上部右側の内壁に、遊技場に設置されている「ホールコンピュータ」と呼ばれる管理用コンピュータと接続可能な外部集中端子基板２５が取り付けられている。
【００３７】
次に、前扉３の裏面側上部には、演出用照明部４６の光源である高輝度の発光ダイオード３１が複数配列されると共に、上述の演出用放音部４７ａ、４７ｂに対向してスピーカ３２ａ、３２ｂが取り付けられている。また、図２には示していないが、スピーカ３２ａ、３２ｂの間には、液晶表示ユニット４８が取り付けられている。更に、液晶表示ユニット４８の裏面側には、電気回路基板で形成されたサブ制御基板３０が取り付けられている。
【００３８】
なお、スロットマシン１全体の動作は、筐体２側に設けられている主制御基板２０によって統括制御されており、サブ制御基板３０は、液晶表示ユニット４８による演出映像の表示制御、演出用照明部４６、４９ａ、４９ｂを使った照明制御、及び演出用放音部４７ａ、４７ｂ、６２を使った演出効果音制御など、ゲームの演出に係る制御を主に行っている。
【００３９】
サブ制御基板３０の下方には、リール１０１ａ、１０１ｂ、１０１ｃを目視させるための透明な表示窓４２が形成されたパネル板が配置され、表示窓４２の下方には、前面側のスタートレバー７５及びストップボタン７６ａ、７６ｂ、７６ｃ等の操作スイッチ類の出力信号を主制御基板２０へ転送する中継基板として機能する中央表示基板３３が設けられている。
【００４０】
中央表示基板３３の下方には、メダル選別装置３４が取り付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。また、メダル選別装置３４はメダル通路を移動する対象物の投入口方向への移動を検出する逆移動検出センサを内蔵している。
【００４１】
メダル選別装置３４の装置本体の下方には、メダル選別装置３４によって振り分けられた正規のメダルを筐体２内に設けられているホッパ装置２１へ案内するガイド部材３５と、メダル選別装置３４により排除されたメダル（又は異物）をメダル排出口６１へ案内するガイド部材３６が設けられている。また、前扉３の裏面側下部には、ホッパ装置２１から排出されたメダルをメダル排出口６１へ案内するガイド部材３７が設けられている。更に、メダル排出口６１に隣接して、上述した演出用放音部６２に対向するスピーカ３８が取り付けられている。
【００４２】
次に、図３のブロック図を参照して、スロットマシン１に設けられている制御システムについて説明する。
【００４３】
主制御基板２０は、ＣＰＵ２０１と、乱数抽選部２０２と、記憶部２０３と、タイマ２１２と、タイマ割込生成部２１３と、メダルクレジット手段２１４を備えている。
【００４４】
記憶部２０３は、ＲＯＭ、ＲＡＭ等の半導体メモリによって構成され、スロットマシンゲーム用のシステムプログラム２０４が予め記憶されている。主制御基板２０は、記憶部２０３に記憶されたシステムプログラム２０４に従ってＣＰＵ２０１が演算処理を実行することで、スロットマシン１全体の動作を統括制御している。
【００４５】
主制御基板２０には、ベットボタン７２、７３、７４、スタートレバー７５、ストップボタン７６ａ、７６ｂ、７６ｃ等の操作スイッチ類、メダル選別装置３４のメダルセンサ３４ａ，３４ｂ及び逆移動検出センサ３４ｃ等の検出スイッチ類が配線ケーブルで接続されている。主制御基板２０は、前記スイッチ類からの出力信号によりゲームに係る操作を検出する。
【００４６】
主制御基板２０のメダルクレジット手段２１４は、メダル選別装置３４に投入されメダルセンサ３４ａ，３４ｂにより検出されたメダルの枚数を、内部貯留しているメダルのクレジット数に加算する。
【００４７】
また、主制御基板２０は、各リール１０１ａ、１０１ｂ、１０１ｃに設けられる基準位置センサ１２０ａ、１２０ｂ、１２０ｃの検出信号を入力し、各リールの基準となる回転位置を把握しながら、回胴装置基板１３０に所定の回胴駆動パルスデータを送出する。回胴装置基板１３０は、主制御基板２０からの回胴駆動パルスデータに従って各ステッピングモータ１１０ａ、１１０ｂ、１１０ｃを回転駆動することで、各リール１０１ａ、１０１ｂ、１０１ｃの回転及び停止の動作制御を行っている。
【００４８】
また、主制御基板２０には、ホッパ装置２１等のメダル払出装置、及びサブ制御基板３０がそれぞれ配線ケーブルによって接続されている。主制御基板２０は、入賞が確定した場合等において、ホッパ装置２１を制御することで、所定数のメダルを受皿部６ａに払い出す。
【００４９】
サブ制御基板３０は、主制御基板２０からの制御信号に基づいて液晶表示ユニット４８、演出用照明部４６、４９ａ、４９ｂ、演出用放音部４７ａ、４７ｂ、６２を制御駆動することで、遊技者の視覚や聴覚に訴える演出をゲームの進行に応じて行っている。
【００５０】
また、主制御基板２０の記憶部２０３には、入賞抽選テーブル２０５及び内部抽選フラグ２０６が記憶されている。例えばＣＰＵ２０１は、スタートレバー７５が操作された時点で乱数抽選部２０２を起動して乱数値を取得し、入賞抽選テーブル２０５を参照することで、得られた乱数値に割り当てられた入賞役またはハズレを抽選する。そして、ＣＰＵ２０１は、乱数値に対応する入賞役が存在すると、それを当該ゲームの入賞役として抽選結果を当選にし、当該入賞役を記憶部２０３の内部抽選フラグ２０６に記憶する。ここでは、かかる入賞役の抽選方法を「内部抽選」と呼んでいる。
【００５１】
また、記憶部２０３には、図柄配列データ２０７、リール停止位置検索テーブル２０８、リール停止位置選択テーブル２０９等の書き換え不可の参照データテーブルが記憶され、更にリール停止コマフラグ２１０、リール制御フラグ２１１等の書き換え可能なデータフラグ用のメモリ領域が確保されている。これら参照データテーブル及びデータフラグは、リール１０１ａ、１０１ｂ、１０１ｃの回転及び停止制御の際に用いられる。
【００５２】
尚、タイマ２１２は、例えばリール１０１ａ、１０１ｂ、１０１ｃの自動停止制御を起動するまでの時間を計測する。タイマ割込生成部２１３は、各リール１０１ａ、１０１ｂ、１０１ｃのステッピングモータ１１０ａ、１１０ｂ、１１０ｃを制御するパルス信号（回胴駆動パルスデータ）の同期を取るためのものである。
【００５３】
次に、スロットマシン１におけるゲーム動作の概要を説明する。
【００５４】
スロットマシン１は、先のゲームにおいて入賞しメダルの配当が完了した時、又は先のゲームにおいてハズレが確定すると待機状態となる。この待機状態においては、当該状態を遊技者に示唆するとともにゲーム操作を促す待機モードの演出が行われる。次に、遊技者がメダル投入部７１にメダルを投入し何れかのベットボタン７２、７３、７４を押圧操作することで、スロットマシン１は、内部に貯留したメダル（クレジット）から当該ゲームに所定枚数のメダルが賭けられゲームを準備する。
【００５５】
ゲーム準備の状態でスタートレバー７５が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ２０６に記憶される。
【００５６】
次に、遊技者により何れかのストップボタン７６ａ、７６ｂ、７６ｃが押圧操作されることで、主制御基板２０がリール停止の操作を検出すると、主制御基板２０は、押圧操作されたストップボタンに対応するリールを停止させる制御を行う。そして、主制御基板２０は、全てのリール１０１ａ、１０１ｂ、１０１ｃが停止したことを検知すると、各リールが表示する図柄と上述の内部抽選フラグ２０６に対応する入賞役に係る図柄の組み合せとが一致しているかどうか判定する。
【００５７】
役への入賞が確定すると、スロットマシン１は、主制御基板２０の制御に基づいて、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルを受皿部６ａへ払い出す。
【００５８】
次にメダル選別装置３４について図面を参照して詳細に説明する。
【００５９】
図４はメダル選別装置３４のカバープレート３０４が開かれた状態の正面図、図５はメダル選別装置３４のカバープレートが閉じられた状態の正面図、図６は図５のＡ−Ａ線断面図、図７は図５のＢ−Ｂ線断面図、図８は逆移動検出センサ３４ｃの分解斜視図、図９は逆移動検出センサ３４ｃ及びその周辺部の側方から見た断面図である。尚、図４に関しては、カバープレート３０４が開かれ、メダル通路３０６が見える状態に描かれているが、実際の使用に当たっては、カバープレート３０４は閉じられる。また、図４乃至図９を用いた説明においては、図２におけるメダル選別装置３４の図面手前側をメダル選別装置３４の正面側とし、図２におけるメダル選別装置３４の図面奥側を背面側としている。
【００６０】
図４、図５において、メダル選別装置３４は、装置本体３０１と、ガイド部材３５とを含んでいる。装置本体３０１は、投入口３０２側から投入されたメダルの適否を特にメダルの直径、厚さなどから機械的に判別し振り分ける部分や、適正と判別されて振り分けられたメダルをフォトセンサによって検出する部分等を備えている。ガイド部材３５は、装置本体３０１で選別されたメダルをホッパ装置２１（図２参照）に向けて排出する。
【００６１】
以下、装置本体３０１についてより詳しく説明する。
【００６２】
装置本体３０１は、ベース３０３とカバープレート３０４を備えている。カバープレート３０４は、ベース３０３の正面側に開閉可能な状態で設けられている。図４には、カバープレート３０４が開かれた状態が示されていが、使用にあたっては、図５に示すように、カバープレート３０４は、ベース３０３に重ね合わされ、これらの隙間にメダル３０５が通過するメダル通路３０６が形成される。
【００６３】
図４、図５において、メダル通路３０６は、メダル選別装置３４に対して少なくとも下方に向けて形成されている。より詳しく説明すると、メダル通路３０６は、投入口３０２付近においてメダルが垂直に降下する部分（以下この部分を垂直部分と記す）３０７を有し、これに続いて斜めに傾斜した部分（以下この部分を傾斜部分と記す）３０８を有している。
【００６４】
メダル通路３０６は、矢印Ｃの方向より投入されたメダル３０５を、斜めに向きを変えさせ、ガイド部材３５に送り出す。
【００６５】
メダル通路３０６の垂直部分３０７の通路幅は、真正なメダルの直径に相当する値となるように設定されている。メダル通路３０６のほぼ全長にわたって通路の厚みは、真正なメダル３０５の厚さに相当する値となるように設定されている。これらの幅及び厚さの設定により、メダル選別装置３４は、カバープレート３０４を閉じたときに、真正なメダル３０５より大きな寸法のものが通過しないように阻止する。
【００６６】
メダル通路３０６の傾斜部分３０８の下辺には、メダルが転がって移動する斜面３０９が設けられている。カバープレート３０４の傾斜部分３０８に相当する位置には排除窓３１０が設けられている。排除窓３１０は、メダル通路３０６の傾斜部分に沿って延びる長穴である。排除窓３１０の幅は、真正なメダル３０５の直径よりやや小さくなっている。より詳しくは、図５に示すように、排除窓３１０は、カバープレート３０４を閉じたときに、斜面３０９と、これに平行に延びる排除窓３１０の上辺との間隔が真正なメダルの直径よりやや小さくなっている。
【００６７】
さらに、傾斜部分３０８には、正規のものよりも小さいメダル３１２を排除窓３１０より排出するために、背面側から正面側に付勢される排除爪３１１が配置されている。
【００６８】
このような構造により、矢印Ｃの方向よりメダル通路３０６に投入されたメダル３０５は、斜面３０９上を転がって移動する。真正なメダル３０５は、排除爪３１１の付勢力を受けても、上端及び下端がカバープレート３０４の排除窓３１０の縁部に支持されるので、ガイド部材３５に向けて送り出される。一方、真正なメダル３０５より小さい直径、より詳しくは斜面３０９と排除窓３１０の上辺の間隔より小さい直径のメダル３１２は、その上端がカバープレート３０４の排除窓３１０の縁部に支持されず、排除爪３１１の付勢力を受けて排除窓３１０により手前側に排出される。排除窓３１０から排除されたメダル３１２は、ガイド部材３６（図２参照）によりメダル排出口６１（図２参照）へ案内される。
【００６９】
これにより装置本体３０１は、投入口３０２からメダル通路３０６に投入されたメダルの適否を判別し振り分ける。
【００７０】
図４、図５に示すように、ガイド部材３５は、メダル通路３０６の出口３１３において、装置本体３０１に固定結合されている。
【００７１】
メダル通路３０６の、装置本体３０１からの出口３１３付近には、装置本体３０１により適正と判別されて振り分けられたメダルの通過を検出する２個のメダルセンサ３４ａ，３４ｂが配置される。メダルセンサ３４ａは、メダル通路３０６の下辺側に配置され、メダルセンサ３４ｂは、メダル通路３０６の上辺側に配置されている。メダルセンサ３４ａは、メダルセンサ３４ｂより出口３１３側に配置されている。
【００７２】
前記メダル通路３０６の、前記メダルセンサ３４ａ，３４ｂから見て投入口３０２側には、逆移動検出センサ３４ｃが配置される。本実施形態においては、逆移動検出センサ３４ｃは、メダル通路３０６の垂直部分３０７に配置されている。逆移動検出センサ３４ｃは、前記メダル通路３０６内を移動する対象物から受ける機械的作用に基づいて、対象物が前記投入口３０２方向に移動したことを検出する。
【００７３】
次に、メダルセンサ３４ａ，３４ｂについてより詳細に説明する。
【００７４】
図６に示すように、メダルセンサ３４ａ，３４ｂは、略コの字形状の遮光型フォトセンサであり、コの字の開口部分の隙間３２０ａ，３２０ｂにメダルが存在するときに、信号を出力するものである。
【００７５】
より詳しく説明すると、メダルセンサ３４ａは、その隙間３２０ａの図中上側と下側にそれぞれ発光素子３２１ａと受光素子３２２ａを有しており、発光素子の光が受光素子に入射するように双方の素子が向かい合った構造になっている。これと同様に、メダルセンサ３４ｂは、その隙間３２０ｂの図中上側と下側に発光素子３２１ｂと受光素子３２２ｂを有している。
【００７６】
メダルセンサ３４ａ，３４ｂは、受光発光素子間に遮光物のメダルが挿入されると、それぞれ受光素子３２２ａ，３２２ｂへの入光が無くなり、それぞれのハーネス３２３ａ，３２３ｂに流れる出力電流が大きくなりハイレベルとなる。スロットマシン１（図１、図２参照）の制御基板２０（図３参照）は、中継基板等を介して、ハーネス３２３ａ，３２３ｂに流れる出力電流の変化を検出することで、隙間３２０ａ，３２０ｂにメダルが挿入されたか否かを判別している。
【００７７】
それぞれのメダルセンサ３４ａ，３４ｂの信号の出力タイミングは、メダルの通過速度、メダルの直径により決まる。逆に、真正なメダルであれば一定のタイミングで信号が出力され、これに基づき制御基板２０（図３参照）はメダルの真偽の判定を行うことができる。また、通過したメダルの個数を計数することができる。
【００７８】
次に、逆移動検出センサ３４ｃについてより詳細に説明する。
【００７９】
図７、図８に示すように、装置本体３０１のベース３０３の背面側において、メダル通路３０６の垂直部分３０７に対応する位置には、外側ケース部３３１が形成されている。外側ケース部３３１には、背面側に開口して収納部３３２が形成されている。収納部３３２は、略矩形状に形成され、逆移動検出センサ３４ｃを前後方向に摺動可能な状態で往復移動可能に収納する。
【００８０】
逆移動検出センサ３４ｃは、正面側ケース３４１、背面側ケース３４２、２方向検知スイッチ３４３及び基板３４４を備えている。ここで２方向検知スイッチ３４３は基板３４４に搭載されている。
【００８１】
正面側ケース３４１は、略矩形状の箱体の半体である。正面側ケース３４１の背面側には、２方向検知スイッチ３４３及び基板３４４の正面側略半分を収納する収納部３４５が形成されている。また、正面側ケース３４１の正面側には、２方向検知スイッチ３４３のスイッチ操作部３４６の先端を外部に突出させるためのスリット３４７が形成されている。図８に示すように、収納部３４５の図中下側と上側には、それぞれ基板３４４を下側と上側から保持するための保持部３４８、３４９が形成されている。保持部３４８、３４９は、二つの段部によって基板３４４を挟んで保持する構造になっている。
【００８２】
図７に示すように、背面側ケース３４２は、略矩形状の箱体の半体である。背面側ケース３４２の正面側には、２方向検知スイッチ３４３及び基板３４４の背面側略半分を収納する収納部３５０が形成されている。収納部３５０の下側には、基板３４４を下側から保持するための保持部３５１が形成されている。また、図９に示すように、収納部３５０の上側には、基板３４４を上側から保持するための保持部３５２が形成されている。保持部３５１、３５２は、保持部３４８、３４９と同様の構造になっている。
【００８３】
図７、図８に示すように、背面側ケース３４２の背面側には、基板３４４のハーネス３５３を通過させるための貫通孔３５４が形成されている。
【００８４】
背面側ケース３４２の背面には、バネ３５５ａ，３５５ｂを収容するためのバネ収容穴３５６ａ、３５６ｂが形成されている。
【００８５】
図８に示すように、正面側ケース３４１は、複数のネジ３５７によって背面側ケース３４２にネジ止め固定される。このネジ止め固定を行った場合、収納部３４５の保持部３４８、３４９と、収納部３５０の保持部３５１、３５２（図９参照）は、基板３４４を強く固定した状態で保持する。この状態で、基板３４４は、その板面が前記垂直部分３０７の上下方向に対して平行となるように配置される。これにより、２方向検知スイッチ３４３のスイッチ操作部３４６は、前記垂直部分３０７の上下方向に傾倒可能な状態で配置される。
【００８６】
図７に示すように、装置本体３０１のベース３０３には、スイッチ操作部３４６の先端をメダル通路３０６の垂直部分３０７に突出させるためのスリット３５８が形成されている。
【００８７】
図７、図８に示すように、外側ケース部３３１の収納部３３２は、逆移動検出センサ３４ｃを収納した状態で裏蓋３５９によって閉塞されるようになっている。図８に示すように、裏蓋３５９は、複数のネジ３６０によって外側ケース部３３１の背面にネジ止め固定される。
【００８８】
また裏蓋３５９には、基板３４４のハーネス３５３を通過させるための貫通孔３６１が形成されている。
【００８９】
図７、図８に示すように、逆移動検出センサ３４ｃが組み立てられた状態において、正面側ケース３４１の正面から背面側ケース３４２の背面までの長さは、収納部３３２の深さよりも短くなっている。このような構造により、逆移動検出センサ３４ｃは、収納部３３２内で、前後方向に摺動可能な状態になっている。
【００９０】
バネ３５５ａ，３５５ｂは、裏蓋３５９と背面側ケース３４２の背面の間に介挿され、スイッチ操作部３４６がスリット３５８（図７参照）からメダル通路３０６の垂直部分３０７に突出する方向に逆移動検出センサ３４ｃを付勢するようになっている。
【００９１】
次に、基板３４４及び２方向検知スイッチ３４３について詳細に説明する。
【００９２】
図９に示すように、２方向検知スイッチ３４３は、箱型のスイッチ本体３７０にスイッチ操作部３４６をＲ１方向とＲ２方向の２方向に傾倒可能な状態で設けたものである。Ｒ１方向とはメダル３０５が投入口３０２（図４参照）から出口３１３（図４参照）に向かう方向であり、Ｒ２方向とは、Ｒ１方向の逆方向である。
【００９３】
スイッチ操作部３４６は、爪状に形成され、Ｒ１方向とＲ２方向のうち力が加えられた方向に傾倒操作される。また、スイッチ操作部３４６は、外部から力が加わらなくなるとスプリングの付勢力によって自動的に中間の位置に戻る。スイッチ本体３７０は例えば接着やねじ止めによって基板３４４に強く固定されている。これにより、基板３４４は２方向検知スイッチ３４３を搭載している。
【００９４】
スイッチ本体３７０の図中上辺には端子３７１、３７２が突出して設けられている。スイッチ本体３７０の図中下辺には端子３７３、３７４が突出して設けられている。端子３７１、３７２、３７３、３７４は、基板３４４に形成されたそれぞれ対応する半田付けランドに半田付けされ、基板３４４に形成された各配線パターンを介してハーネス３５３の各配線３５３ａ、３５３ｂ、３５３ｃ、３５３ｄにそれぞれ電気的に接続されている。
【００９５】
このような構成により、スイッチ操作部３４６は、前記メダル通路３０６内を移動する対象物に接触し、当該対象物からの機械的作用により当該対象物の移動に合わせて一方または他方に傾倒操作される。
【００９６】
スイッチ本体３７０は、当該スイッチ操作部３４６の傾倒の動きに連動してオンオフすることで当該対象物の前記投入口方向（Ｒ２方向）への移動を検出する。
【００９７】
次に、メダル選別装置３４のメダル通路に正規のメダルが投入された場合における検出動作について詳細に説明する。
【００９８】
図９に示すように、メダル通路３０６の垂直部分３０７にコイン３０５が落下すると、スイッチ操作部３４６は、バネ３５５ａ，３５５ｂ（図７参照）の力により適度な圧力でコイン３０５と接触し、静止摩擦力または動摩擦力により図中Ｒ１方向に傾倒操作される。すると、スイッチ本体３７０の端子３７１、３７２間がオン状態となり、スイッチ本体３７０の端子３７３、３７４間がオフ状態となり、端子３７１、３７２に接続したハーネス３５３の各配線３５３ａ、３５３ｂに電流が流れ、端子３７３、３７４に接続したハーネス３５３の各配線３５３ｃ、３５３ｄは電流が遮断された状態となる。
【００９９】
スロットマシン１（図１、図２参照）の制御基板２０（図３参照）は、中継基板等を介して、このようなハーネス３５３の各配線３５３ａ、３５３ｂ、３５３ｃ、３５３ｄに流れる電流の変化を検出することで、前記メダル通路３０６（図９参照）を移動する対象物の移動方向が正常な方向に移動していると判別し、通常の動作を継続する。
【０１００】
次に、メダル選別装置３４のメダル通路３０６から対象物が取り出される場合の検出動作について説明する。
【０１０１】
図１０はメダル選別装置３４のメダル通路３０６から対象物が取り出される場合における検出動作について説明する説明図である。
【０１０２】
図１０に示すように、メダル通路３０６の垂直部分３０７において、対象物４０１が上側に引き抜かれる方向に移動すると、スイッチ操作部３４６は、バネ３５５ａ，３５５ｂ（図７参照）の力により適度な圧力で対象物４０１と接触し、逆移動検出センサ３４ｃが裏蓋３５９側に若干押し戻されてから静止摩擦力または動摩擦力により図中Ｒ２方向に傾倒操作される。すると、スイッチ本体３７０の端子３７１、３７２間がオフ状態となり、スイッチ本体３７０の端子３７３、３７４間がオン状態となり、端子３７１、３７２に接続したハーネス３５３の各配線３５３ａ、３５３ｂに流れる電流は遮断され、端子３７３、３７４に接続したハーネス３５３の各配線３５３ｃ、３５３ｄには電流が流れる。これにより、主制御基板２０（図３参照）は、メダル通路３０６を通過する対象物の通過方向が投入口３０２（図１０参照）側に向かう方向になったことを確認し、サブ制御基板３０（図３参照）を制御してスピーカ３２ａ、３２ｂ（図２参照）に警報を出力させるとともに、外部集中端子基板２５（図３参照）を介してホールコンピューに不正が行われたことを示すデータを送信する。
【０１０３】
次に、メダル選別装置３４のメダル通路に対象物として不正器具が挿入された場合における検出動作について詳細に説明する。
【０１０４】
不正器具を用いて不正行為を行う場合、不正遊技者は、まず、不正器具のプラスチックシートをスロットマシン１（図１参照）のメダル投入部７１のメダル投入口からメダル選別装置３４（図５参照）のメダル通路３０６に挿入し、プラスチックシートの先端の発光ダイオードをメダルセンサ３４ａ，３４ｂ（図６参照）の隙間３２０ａ，３２０ｂ（図６参照）に挿入し、発光ダイオードをメダルセンサ３４ａ，３４ｂ（図６参照）の受光素子３２２ａ，３２２ｂ（図６参照）に対向させる。次に、不正遊技者は、不正器具を操作して、前記発光ダイオードを点滅させることで、メダルセンサ３４ａ，３４ｂ（図６参照）の受光素子３２２ａ，３２２ｂ（図６参照）を誤動作させ、スロットマシン１（図１参照）の内部に貯留するメダル（クレジット）を不正に増加させる。
【０１０５】
ここで、不正器具のプラスチックシートがメダル選別装置３４（図５参照）のメダル通路３０６（図５参照）に挿入される場合、スイッチ操作部３４６は図９に示した矢印Ｒ１方向に傾倒操作されるため、主制御基板２０は、通常の動作を継続する。
【０１０６】
次に、不正遊技者は、不正器具がホールの従業員に発見されるのを避けるため、クレジットを不正に増加させた後、メダル選別装置３４のメダル通路３０６から不正器具のプラスチックシートを引き抜くことになる。
【０１０７】
すると、図１０に示すように、スイッチ操作部３４６は、図中Ｒ２方向に傾倒操作され、前述したように、主制御基板２０（図３参照）は、スピーカ３２ａ、３２ｂ（図２参照）に警報を出力させるとともに、ホールコンピューに不正が行われたことを示すデータを送信する。
【０１０８】
これによりホールの従業員は、不正遊技者の不正行為を迅速かつ確実に発見できる。
【０１０９】
かかる構成のメダル選別装置３４によれば、メダル通路に不正器具が挿入されたことを迅速かつ確実に発見することで係る不正行為を未然に防止し、防犯に役立つ等の効果が得られる。
【０１１０】
次に、基板３４４及び２方向検知スイッチ３４３について詳細に説明する。
【０１１１】
図９に示すように、２方向検知スイッチ３４３は、箱型のスイッチ本体３７０にスイッチ操作部３４６をＲ１方向とＲ２方向の２方向に傾倒可能な状態で設けたものである。Ｒ１方向とはメダル３０５が投入口３０２（図４参照）から出口３１３（図４参照）に向かう方向であり、Ｒ２方向とは、Ｒ１方向の逆方向である。
【０１１２】
スイッチ操作部３４６は、爪状に形成され、Ｒ１方向とＲ２方向のうち力が加えられた方向に傾倒操作される。また、スイッチ操作部３４６は、外部から力が加わらなくなるとスプリングの付勢力によって自動的に中間の位置に戻る。スイッチ本体３７０は例えば接着やねじ止めによって基板３４４に強く固定されている。これにより、基板３４４は２方向検知スイッチ３４３を搭載している。
【０１１３】
スイッチ本体３７０の図中上辺には端子３７１、３７２が突出して設けられている。スイッチ本体３７０の図中下辺には端子３７３、３７４が突出して設けられている。端子３７１、３７２、３７３、３７４は、基板３４４に形成されたそれぞれ対応する半田付けランドに半田付けされ、基板３４４に形成された各配線パターンを介してハーネス３５３の各配線３５３ａ、３５３ｂ、３５３ｃ、３５３ｄにそれぞれ電気的に接続されている。
【０１１４】
このような構成により、スイッチ操作部３４６は、前記メダル通路３０６内を移動する対象物に接触し、当該対象物からの機械的作用により当該対象物の移動に合わせて一方または他方に傾倒操作される。
【０１１５】
スイッチ本体３７０は、当該スイッチ操作部３４６の傾倒の動きに連動してオンオフすることで当該対象物の前記投入口方向（Ｒ２方向）への移動を検出する。
【０１１６】
次に、メダル選別装置３４のメダル通路に正規のメダルが投入された場合における検出動作について詳細に説明する。
【０１１７】
図９に示すように、メダル通路３０６の垂直部分３０７にコイン３０５が落下すると、スイッチ操作部３４６は、バネ３５５ａ，３５５ｂ（図７参照）の力により適度な圧力でコイン３０５と接触し、静止摩擦力または動摩擦力により図中Ｒ１方向に傾倒操作される。すると、スイッチ本体３７０の端子３７１、３７２間がオン状態となり、スイッチ本体３７０の端子３７３、３７４間がオフ状態となり、端子３７１、３７２に接続したハーネス３５３の各配線３５３ａ、３５３ｂに電流が流れ、端子３７３、３７４に接続したハーネス３５３の各配線３５３ｃ、３５３ｄは電流が遮断された状態となる。
【０１１８】
スロットマシン１（図１、図２参照）の制御基板２０（図３参照）は、中継基板等を介して、このようなハーネス３５３の各配線３５３ａ、３５３ｂ、３５３ｃ、３５３ｄに流れる電流の変化を検出することで、前記メダル通路３０６（図９参照）を移動する対象物の移動方向が正常な方向に移動していると判別し、通常の動作を継続する。
【０１１９】
次に、メダル選別装置３４のメダル通路３０６から対象物が取り出される場合の検出動作について説明する。
【０１２０】
図１０はメダル選別装置３４のメダル通路３０６から対象物が取り出される場合における検出動作について説明する説明図である。
【０１２１】
図１０に示すように、メダル通路３０６の垂直部分３０７において、対象物４０１が上側に引き抜かれる方向に移動すると、スイッチ操作部３４６は、バネ３５５ａ，３５５ｂ（図７参照）の力により適度な圧力で対象物４０１と接触し、逆移動検出センサ３４ｃが裏蓋３５９側に若干押し戻されてから静止摩擦力または動摩擦力により図中Ｒ２方向に傾倒操作される。すると、スイッチ本体３７０の端子３７１、３７２間がオフ状態となり、スイッチ本体３７０の端子３７３、３７４間がオン状態となり、端子３７１、３７２に接続したハーネス３５３の各配線３５３ａ、３５３ｂに流れる電流は遮断され、端子３７３、３７４に接続したハーネス３５３の各配線３５３ｃ、３５３ｄには電流が流れる。これにより、主制御基板２０（図３参照）は、メダル通路３０６を通過する対象物の通過方向が投入口３０２（図１０参照）側に向かう方向になったことを確認し、サブ制御基板３０（図３参照）を制御してスピーカ３２ａ、３２ｂ（図２参照）に警報を出力させるとともに、外部集中端子基板２５（図３参照）を介してホールコンピューに不正が行われたことを示すデータを送信する。
【０１２２】
次に、メダル選別装置３４のメダル通路に対象物として不正器具が挿入された場合における検出動作について詳細に説明する。
【０１２３】
不正器具を用いて不正行為を行う場合、不正遊技者は、まず、不正器具のプラスチックシートをスロットマシン１（図１参照）のメダル投入部７１のメダル投入口からメダル選別装置３４（図５参照）のメダル通路３０６に挿入し、プラスチックシートの先端の発光ダイオードをメダルセンサ３４ａ，３４ｂ（図６参照）の隙間３２０ａ，３２０ｂ（図６参照）に挿入し、発光ダイオードをメダルセンサ３４ａ，３４ｂ（図６参照）の受光素子３２２ａ，３２２ｂ（図６参照）に対向させる。次に、不正遊技者は、不正器具を操作して、前記発光ダイオードを点滅させることで、メダルセンサ３４ａ，３４ｂ（図６参照）の受光素子３２２ａ，３２２ｂ（図６参照）を誤動作させ、スロットマシン１（図１参照）の内部に貯留するメダル（クレジット）を不正に増加させる。
【０１２４】
ここで、不正器具のプラスチックシートがメダル選別装置３４（図５参照）のメダル通路３０６（図５参照）に挿入される場合、スイッチ操作部３４６は図９に示した矢印Ｒ１方向に傾倒操作されるため、主制御基板２０は、通常の動作を継続する。
【０１２５】
次に、不正遊技者は、不正器具がホールの従業員に発見されるのを避けるため、クレジットを不正に増加させた後、メダル選別装置３４のメダル通路３０６から不正器具のプラスチックシートを引き抜くことになる。
【０１２６】
すると、図１０に示すように、スイッチ操作部３４６は、図中Ｒ２方向に傾倒操作され、前述したように、主制御基板２０（図３参照）は、スピーカ３２ａ、３２ｂ（図２参照）に警報を出力させるとともに、ホールコンピューに不正が行われたことを示すデータを送信する。
【０１２７】
これによりホールの従業員は、不正遊技者の不正行為を迅速かつ確実に発見できる。
【０１２８】
かかる構成のメダル選別装置３４によれば、メダル通路に不正器具が挿入されたことを迅速かつ確実に発見することで係る不正行為を未然に防止し、防犯に役立つ等の効果が得られる。
【０１２９】
以下、本発明に係る好適な他の実施形態としてのメダル選別装置を例に図面を参照して説明する。図１１はメダル選別装置５０１における対象物検出センサ５３４ｃ及びその周辺部の側方から見た断面図である。ここで、図１１を用いた他の実施形態の説明において、図３、図４、図５、図６、図７、図８、図９、図１０に示した一実施形態と同様の構成要素には同じ符号を付して説明を省略している。
【０１３０】
図１１に示すように、メダル選別装置５０１の対象物検出センサ５３４ｃは、検知スイッチとして１方向検知スイッチ５４３を用いている。
【０１３１】
１方向検知スイッチ５４３は、箱型のスイッチ本体５７０にスイッチ操作部５４６をＲ１方向の１方向に傾倒可能な状態で設けたものである。
【０１３２】
スイッチ操作部５４６は、爪状に形成され、Ｒ１方向に力が加えられた場合にＲ１方向に傾倒操作される。また、スイッチ操作部５４６は、外部から力が加わらなくなるとスプリングの付勢力によって自動的に水平の位置に戻る。スイッチ本体５７０は例えば接着やねじ止めによって基板５４４に強く固定されている。
【０１３３】
スイッチ本体５７０の図中上辺には端子５７１、５７２が突出して設けられている。端子５７１、５７２は、基板５４４に形成されたそれぞれ対応する半田付けランドに半田付けされ、基板５４４に形成された各配線パターンを介してハーネス５５３の各配線５５３ａ、５５３ｂにそれぞれ電気的に接続されている。
【０１３４】
このような構成により、スイッチ操作部５４６は、前記メダル通路３０６内を移動する対象物に接触し、当該対象物の移動に合わせて傾倒操作される。
【０１３５】
スイッチ本体５７０は、当該スイッチ操作部５４６の傾倒の動きに連動してオンオフすることで当該対象物の移動を検出する。
【０１３６】
本実施形態において、スロットマシン１（図１、図２参照）の制御基板２０（図３参照）は、報知手段となっており、当該スイッチ本体５７０が当該対象物の移動を所定時間（例えば２秒）以上連続して検出した場合に、異常が発生したと見なして、スピーカ３２ａ、３２ｂ（図２参照）に警報を出力させるとともに、ホールコンピューに不正が行われたことを示すデータを送信することで報知を行う。
【０１３７】
次に、メダル選別装置５０１のメダル通路に正規のメダルが投入された場合における検出動作について詳細に説明する。
【０１３８】
図１１に示すように、メダル通路３０６の垂直部分３０７にコイン３０５が落下すると、スイッチ操作部５４６は、バネ５５５ａ，５５５ｂ（図７参照）の力により適度な圧力でコイン３０５と接触し、静止摩擦力または動摩擦力により図中Ｒ１方向に傾倒操作される。すると、スイッチ本体５７０の端子５７１、５７２間がオン状態となり、端子５７１、５７２に接続したハーネス５５３の各配線５５３ａ、５５３ｂに電流が流れる。
【０１３９】
スロットマシン１（図１、図２参照）の制御基板２０（図３参照）は、中継基板等を介して、このようなハーネス５５３の各配線５５３ａ、５５３ｂに流れる電流の変化を検出することで、前記メダル通路３０６に対象物が存在していると判別する。ここで、スイッチ操作部５４６が落下するコイン３０５と接触している時間は前記所定時間（例えば２秒）よりも短く、スイッチ本体５７０が対象物の移動を連続して検出する時間も前記所定時間（例えば２秒）よりも短くなる。このため、制御基板２０（図３参照）は通常の動作を継続する。
【０１４０】
次に、メダル選別装置５０１のメダル通路に対象物として不正器具が挿入された場合における検出動作について詳細に説明する。
【０１４１】
ここで、不正器具のプラスチックシートがメダル選別装置５０１のメダル通路３０６に挿入される場合、スイッチ操作部５４６は矢印Ｒ１方向に傾倒操作され、主制御基板２０（図３参照）は、前記所定時間（例えば２秒）まで通常の動作を継続する。ここで不正遊技者は、不正器具の操作のために、確実に前記所定時間（例えば２秒）以上の時間を使い、プラスチックシートをメダル通路３０６内に挿入して目的の位置に停止させることになる。すると、スイッチ本体５７０は、当該スイッチ本体５７０が当該対象物の移動を所定時間（例えば２秒）以上連続して検出し、制御基板２０（図３参照）は、スピーカ３２ａ、３２ｂ（図２参照）に警報を出力させるとともに、ホールコンピューに不正が行われたことを示すデータを送信する。
【０１４２】
これによりホールの従業員は、不正遊技者の不正行為を迅速かつ確実に発見できる。
【０１４３】
かかる構成のメダル選別装置５０１によれば、図９に示したメダル選別装置３４と同様の効果が得られるとともに、図９に示したメダル選別装置３４よりも早期にメダル通路に不正器具が挿入されたことを発見できる。
【０１４４】
尚、図１乃至図１１に示した一実施形態及び他の実施形態において、不正が行われたことに対する報知方法としては、スピーカに警報を出力させる方法とホールコンピューに不正が行われたことを示すデータを送信する方法を用いたが、スロットマシンの上方に配置された台ランプを点灯させる方法等の他の報知方法を用いてもよい。
【産業上の利用可能性】
【０１４５】
本発明は、スロットマシンのメダル選別装置に限らず、パチンコ機やその他の遊技機におけるメダル選別装置にも応用することができる。
【図面の簡単な説明】
【０１４６】
【図１】図１は、本発明の一実施形態によるスロットマシンの外観構造を表した斜視図である。
【図２】図２は、本発明の一実施形態によるスロットマシンの内部構造を表した図である。
【図３】図３は、本発明の一実施形態によるスロットマシンの制御システムを表したブロック図である。
【図４】図４は、本発明の一実施形態によるメダル選別装置のカバープレートが開かれた状態の正面図である。
【図５】図５は、本発明の一実施形態によるメダル選別装置のカバープレートが閉じられた状態の正面図である。
【図６】図６は、本発明の一実施形態による図５のＡ−Ａ線断面図である。
【図７】図７は、本発明の一実施形態による図５のＢ−Ｂ線断面図である。
【図８】図８は、本発明の一実施形態による逆移動検出センサの分解斜視図である。
【図９】図９は、本発明の一実施形態による逆移動検出センサ及びその周辺部の側方から見た断面図である。
【図１０】図１０は、本発明の一実施形態によるメダル選別装置のメダル通路から対象物が取り出される場合における検出動作について説明する説明図である。
【図１１】図１１は、本発明の他の実施形態による逆移動検出センサ及びその周辺部の側方から見た断面図である。
【符号の説明】
【０１４７】
１…スロットマシン、  ２…筐体、  ３…前扉、  ４…上部パネル部、
５…下部パネル部、  ６…受皿ユニット、  ６ａ…受皿部、  ７…操作卓、
２０…主制御基板、  ２１…ホッパ装置、  ２２…補助貯留部、
２３…主電源装置、  ２４…電源装置基板、  ２５…外部集中端子基板、
３０…サブ制御基板、  ３１…発光ダイオード、
３２ａ、３２ｂ…スピーカ、  ３３…中央表示基板、
３４…メダル選別装置、  ３４ａ，３４ｂ…メダルセンサ、
３４ｃ…逆移動検出センサ、３５、３６、３７…ガイド部材、
３８…スピーカ、４１…パネル面、  ４２…表示窓、
４３…遊技状態表示部、４４…ドットマトリクス表示部、
４５…数値情報表示部、４６…演出用照明部、
４７ａ、４７ｂ…演出用放音部、４８…液晶表示ユニット、
４９ａ、４９ｂ…演出用照明部、５１…パネル、
６１…メダル払出口、  ６２…演出用放音部、
７１…メダル投入部、  ７２、７３、７４…ベットボタン、
７５…スタートレバー、  ７６ａ、７６ｂ、７６ｃ…ストップボタン、
７７…鍵穴、１００…リールユニット、
１０１ａ、１０１ｂ、１０１ｃ…リール、
１０２…ボス部、  １０３…アーム部、  １０４…第１リング部、
１０５…第２リング部、  １０６…連結部、  １０７…遮光片、
１０８…リールテープ、
１１０ａ、１１０ｂ、１１０ｃ…ステッピングモータ、
１２０ａ、１２０ｂ、１２０ｃ…基準位置センサ、
１３０…回胴装置基板、
２０１…ＣＰＵ、  ２０２…乱数抽選部、  ２０３…記憶部、
２０４…システムプログラム、  ２０５…入賞抽選テーブル、
２０６…内部抽選フラグ、  ２０７…図柄配列データ、
２０８…リール停止位置検索テーブル、
２０９…リール停止位置選択テーブル、
２１０…リール停止コマフラグ、  ２１１…リール制御フラグ、
２１２…タイマ、  ２１３…タイマ割込生成部、
２１４…メダルクレジット手段、
３００…演出装置、３０１…装置本体、３０２…投入口、３０３…ベース、
３０４…カバープレート、３０５…メダル、３０６…メダル通路、
３０７…垂直部分、３０８…傾斜部分、３０９…斜面、
３１０…排除窓、３１１…排除爪、３１２…メダル、３１３…出口、
３２０ａ，３２０ｂ…隙間、３２１ａ，３２１ｂ…発光素子、
３２２ａ，３２２ｂ…受光素子、３３１…外側ケース部、
３３２…収納部、３４１…正面側ケース、３４２…背面側ケース、
３４３…２方向検知スイッチ、３４４…基板、３４５…収納部、
３４６…スイッチ操作部、３４７…スリット、
３４８、３４９…保持部、３５０…収納部、
３５１、３５２…保持部、３５３…ハーネス、
３５３ａ、３５３ｂ、３５３ｃ、３５３ｄ…配線、
３５４…貫通孔、３５５ａ，３５５ｂ…バネ、
３５６ａ、３５６ｂ…バネ収容穴、３５７…ネジ、
３５８…スリット、３５９…裏蓋、３６０…ネジ、
３６１…貫通孔、３７０…スイッチ本体、
３７１、３７２、３７３、３７４…端子、
５０１…メダル選別装置、５３４ｃ…対象物検出センサ、
５４３…１方向検知スイッチ、５４４…基板、
５４６…スイッチ操作部、５５３…ハーネス、
５５３ａ、５５３ｂ…配線、５７０…スイッチ本体、
５７１、５７２…端子
【図１】
2006059027.tif 000003
【図２】
2006059027.tif 000004
【図３】
2006059027.tif 000005
【図４】
2006059027.tif 000006
【図５】
2006059027.tif 000007
【図６】
2006059027.tif 000008
【図７】
2006059027.tif 000009
【図８】
2006059027.tif 000010
【図９】
2006059027.tif 000011
【図１０】
2006059027.tif 000012
【図１１】
2006059027.tif 000013